(57)【要約】      （修正有）【課題】圧縮機やファンモータの運転音を効果的に低減することが可能なヒートポンプ装置を提供する。【解決手段】冷媒を圧縮して吐出する圧縮機１１と、圧縮機１１から吐出された高圧冷媒と外気とを熱交換させる熱交換器１４と、ファンモータ１６によって回転し、放熱器に送風する送風ファン１５と、複数の運転モードのいずれかに基づいて、圧縮機１１およびファンモータ１６の回転制御を行う制御部とを備えたヒートポンプ装置において、複数の運転モードには、通常運転モードと、圧縮機１１およびファンモータ１６の運転音に基づく騒音を通常運転モードよりも低減させたい場合に用いられる複数の低騒音モードとが含まれており、複数の低騒音モードは、圧縮機１１およびファンモータ１６の少なくとも何れかの制御内容が異なっており、複数の低騒音モードの中から特定の低騒音モードをユーザが選択可能になっている。【選択図】図１
2018115830.tif 000002
【特許請求の範囲】
【請求項１】
冷媒を圧縮して吐出する圧縮機（１１）と、
前記圧縮機（１１）から吐出された高圧冷媒と外気とを熱交換させる熱交換器（１４）と、
ファンモータ（１６）によって回転し、前記放熱器に送風する送風ファン（１５）と、
複数の運転モードのいずれかに基づいて、前記圧縮機および前記ファンモータの回転制御を行う制御部（４０）とを備え、
前記複数の運転モードには、通常運転モードと、前記圧縮器および前記ファンモータの運転音に基づく騒音を前記通常運転モードよりも低減させたい場合に用いられる複数の低騒音モードとが含まれており、
前記複数の低騒音モードは、前記圧縮機および前記ファンモータの少なくとも何れかの制御内容が異なっており、
前記複数の低騒音モードの中から特定の低騒音モードをユーザが選択可能になっているヒートポンプ装置。
【請求項２】
前記複数の低騒音モードには、前記ファンモータの運転音によって前記圧縮機の運転音をマスキングする低騒音モードが含まれている請求項１に記載のヒートポンプ装置。
【請求項３】
環境音を検出する環境音検出部（４７）を備え、
前記複数の低騒音モードには環境音優先モードが含まれており、
前記制御部は、外気温と前記圧縮機の回転数とが関連付けられた複数の圧縮機制御マップと、外気温と前記ファンモータの回転数とが関連付けられた複数のファンモータ制御マップを備えており、
前記制御部は、前記環境音優先モードが選択されている場合に、前記複数の圧縮機制御マップから前記環境音検出部が検出した環境音に対応する圧縮機制御マップを選択し、前記複数のファンモータ制御マップから前記環境音検出部が検出した環境音に対応するファンモータ制御マップを選択する請求項１または２に記載のヒートポンプ装置。
【発明の詳細な説明】
【技術分野】
【０００１】
本発明は、ヒートポンプサイクルを用いたヒートポンプ装置に関する。
【背景技術】
【０００２】
従来より、ヒートポンプサイクルの圧縮機やファンモータの運転に伴って発生する運転音を低減する低騒音モードが設けられたヒートポンプ装置が知られている。例えば特許文献１には、ファンモータおよび圧縮機の回転数を低下させるおやすみモードを設けることで、圧縮機やファンモータの運転音を低減することが記載されている。また、特許文献２には、時間帯によって圧縮機の回転数および室外ファンモータの回転数を設定することで、圧縮機やファンモータの運転音を低減するとともに、ヒートポンプサイクルの能力低下を最低限に抑えることが記載されている。
【先行技術文献】
【特許文献】
【０００３】
【特許文献１】特開平９−８９３４７号公報
【特許文献２】特開２０１２−２４７１５０号公報
【発明の概要】
【発明が解決しようとする課題】
【０００４】
しかしながら、上記従来技術の低騒音モードでは、単に圧縮機およびファンモータの回転数を低下させて音圧レベルを低下させているだけであり、音の聞こえ方によってはユーザにとって静かに感じないおそれがある。例えば、圧縮機およびファンモータの回転数を低下させることで音圧レベルは低下するものの圧縮機の音が目立って聞こえるようになる可能性がある。また、音の感じ方には個人差があり、単に圧縮機およびファンモータの回転数を低下させることが個々のユーザにとって静騒音モードとして機能しない可能性がある。
【０００５】
本発明は上記点に鑑み、圧縮機やファンモータの運転音を効果的に低減することが可能なヒートポンプ装置を提供することを目的とする。
【課題を解決するための手段】
【０００６】
上記目的を達成するため、請求項１に記載の発明では、冷媒を圧縮して吐出する圧縮機（１１）と、圧縮機（１１）から吐出された高圧冷媒と外気とを熱交換させる熱交換器（１４）と、ファンモータ（１６）によって回転し、放熱器に送風する送風ファン（１５）と、複数の運転モードのいずれかに基づいて、圧縮機およびファンモータの回転制御を行う制御部（４０）とを備え、複数の運転モードには、通常運転モードと、圧縮器およびファンモータの運転音に基づく騒音を通常運転モードよりも低減させたい場合に用いられる複数の低騒音モードとが含まれており、複数の低騒音モードは、圧縮機およびファンモータの少なくとも何れかの制御内容が異なっており、複数の低騒音モードの中から特定の低騒音モードをユーザが選択可能になっていることを特徴とする。
【０００７】
これにより、ユーザは聴感の個人差や好みに応じて、圧縮機およびファンモータの運転音が気になりにくくなる低騒音モードを選択することができ、運転音を効果的に低減することが可能となる。
【０００８】
なお、上記各手段の括弧内の符号は、後述する実施形態に記載の具体的手段との対応関係を示すものである。
【図面の簡単な説明】
【０００９】
【図１】本発明に係る実施形態のヒートポンプ式給湯機の全体構成図である。
【図２】ヒートポンプ式給湯機の電気制御部を示すブロック図である。
【図３】圧縮機および送風ファンの制御マップを示す図である。
【図４】通常運転モードの音圧レベルと波長との関係を示す図である。
【図５】音圧優先モードの音圧レベルと波長との関係を示す図である。
【図６】聴感優先モードの音圧レベルと波長との関係を示す図である。
【図７】ヒートポンプ式給湯機の制御処理の要部を示すフローチャートである。
【発明を実施するための形態】
【００１０】
以下、図面を用いて、本発明のヒートポンプ装置を適用した本実施形態のヒートポンプ式給湯機１について説明する。本実施形態のヒートポンプ式給湯機１は、図１の全体構成図に示すように、ヒートポンプサイクル１０、貯湯タンク２０、および水循環回路３０等を備えている。
【００１１】
ヒートポンプサイクル１０は、給湯水を加熱する蒸気圧縮式の冷凍サイクルである。貯湯タンク２０は、ヒートポンプサイクル１０にて加熱された給湯水を貯えるように構成されている。水循環回路３０は、ヒートポンプサイクル１０の水−冷媒熱交換器１２と貯湯タンク２０との間で給湯水を循環させる水回路である。
【００１２】
より詳細には、ヒートポンプサイクル１０は、圧縮機１１、水−冷媒熱交換器１２、電気式膨張弁１３、および蒸発器１４を順次配管で接続して構成されたものである。
【００１３】
圧縮機１１は、ヒートポンプサイクル１０の冷媒を吸入し、圧縮して吐出する。圧縮機１１は、固定容量型圧縮機構を電動モータで駆動する電動圧縮機である。圧縮機１１の回転数（換言すれば冷媒吐出能力）は、後述する制御装置４０から出力される制御信号によって制御される。この回転数制御によって、圧縮機１１の冷媒吐出能力が変更される。
【００１４】
圧縮機１１の吐出口には、水−冷媒熱交換器１２の冷媒通路１２ａ入口側が接続されている。水−冷媒熱交換器１２は、圧縮機１１から吐出された高圧冷媒を流通させる冷媒通路１２ａ、および水循環回路３０を循環する給湯水を流通させる水通路１２ｂを有し、冷媒通路１２ａを流通する高圧冷媒と水通路１２ｂを流通する給湯水とを熱交換させて、給湯水を加熱する加熱用熱交換器である。
【００１５】
水−冷媒熱交換器１２の冷媒通路１２ａ出口側には、電気式膨張弁１３の入口側が接続されている。電気式膨張弁１３は、冷媒通路１２ａから流出した冷媒を減圧膨張させる可変絞り機構である。電気式膨張弁１３は、絞り開度を変更可能に構成された弁体と、この弁体の絞り開度を変化させる電動アクチュエータとを有している。電気式膨張弁１３の絞り開度は、制御装置４０から出力される制御信号によって制御される。
【００１６】
電気式膨張弁１３の出口側には、蒸発器１４の冷媒入口側が接続されており、蒸発器１４の冷媒出口には、圧縮機１１の吸入口側が接続されている。蒸発器１４は、電気式膨張弁１３にて減圧された低圧冷媒と送風ファン１５により送風された外気（室外空気）とを熱交換させることによって、低圧冷媒を蒸発させて吸熱作用を発揮させる吸熱用の室外熱交換器である。
【００１７】
送風ファン１５は、ファンモータ１６を備えており、ファンモータ１６を回転させることにより送風ファン１５を回転させることできる。ファンモータ１６の回転数（送風空気量）は、制御装置４０から出力される制御信号によって制御される。この回転数制御によって、送風ファン１５の送風量が変更される。
【００１８】
なお、図１の破線で囲まれたヒートポンプサイクル１０の各構成機器１１〜１４、送風ファン１５、ファンモータ１６等は、１つの筐体内に収容されてヒートポンプユニット１００として一体的に構成されている。ヒートポンプユニット１００は、室外に配置されている。
【００１９】
貯湯タンク２０は、耐食性に優れた金属（例えば、ステンレス）で形成され、その外周を断熱材で覆う断熱構造あるいは二重タンクによる真空断熱構造等を有し、高温の給湯水を長時間保温することができる温水タンクである。また、本実施形態の貯湯タンク２０は、中空円柱状に形成され、軸方向が略鉛直方向に延びる縦長形状に形成されている。
【００２０】
貯湯タンク２０の上方側には、貯湯タンク２０内に貯湯されている給湯水を流出させる流出用配管２１、および水循環回路３０を構成する高温側水配管３２が接続されている。一方、貯湯タンク２０の下方側には、水道水を流入させる給水用配管２２、および水循環回路３０を構成する低温側水配管３１が接続されている。
【００２１】
流出用配管２１の出口側には、温度調整弁２３（図２参照）が接続されている。そして、この温度調整弁２３にて、貯湯タンク２０から流出した高温の給湯水と低温の水道水が混合されることによって、目標出湯温度に調整された給湯水が、キッチンや風呂場等に配置された蛇口、シャワー等の給湯端末から出湯される。
【００２２】
なお、図１の一点鎖線で囲まれた貯湯タンク２０、流出用配管２１の少なくとも一部、給水用配管２２の少なくとも一部等は、１つの筐体内に収容されてタンクユニット２００として一体的に構成されている。さらに、タンクユニット２００は、ヒートポンプユニット１００と同様に、室外に配置されている。
【００２３】
水循環回路３０は、低温側水配管３１および高温側水配管３２を有して構成されている。低温側水配管３１は、貯湯タンク２０から流出した低温の給湯水を水−冷媒熱交換器１２の水通路１２ｂ入口側へ導く低温側水通路である。高温側水配管３２は、水−冷媒熱交換器１２の水通路１２ｂ出口側から流出した高温の給湯水を貯湯タンク２０側へ導く高温側水通路である。
【００２４】
低温側水配管３１には、水循環ポンプ３３が配置されている。水循環ポンプ３３は、貯湯タンク２０の下方側から流出した給湯水を吸入して、水−冷媒熱交換器１２の水通路１２ｂ側へ圧送するように構成されている。この水循環ポンプ３３の回転数（水圧送能力）は、制御装置４０から出力される制御信号によって制御される。
【００２５】
なお、本実施形態では、水循環回路３０に配置された水循環ポンプ３３は、図１の破線で示すように、ヒートポンプユニット１００の筐体内に収容されている。
【００２６】
次に、図２のブロック図を用いて、本実施形態の電気制御部の概要を説明する。制御装置４０は、ＣＰＵ、ＲＯＭおよびＲＡＭ等を含む周知のマイクロコンピュータとその周辺回路から構成されている。制御装置４０は、ＲＯＭ内に記憶された制御プログラムに基づいて各種演算、処理を行い、その出力側に接続された各種制御対象機器の作動を制御する。
【００２７】
制御装置４０は、出力側に接続された各種制御対象機器を制御する制御手段が一体的に構成されたものであるが、制御装置４０における各制御対象機器の作動を制御する構成（ハードウェアおよびソフトウェア）が、各制御対象機器の作動を制御する制御手段を構成している。
【００２８】
制御装置４０の出力側には、圧縮機１１の電動モータ、電気式膨張弁１３の電動アクチュエータ、ファンモータ１６、温度調整弁２３および水循環ポンプ３３等の各種制御対象機器が接続されている。制御装置４０の入力側には、タンク内温度センサ４１、入水温度センサ４２、沸上温度センサ４３、蒸発器温度センサ４４、外気温センサ４５、吐出圧力センサ４６、集音マイク４７等が接続され、これらのセンサ群の検出信号が制御装置４０へ入力される。
【００２９】
タンク内温度センサ４１は、貯湯タンク２０内に貯湯された給湯水の温度を検出する。より具体的には、本実施形態のタンク内温度センサ４１は、貯湯タンク２０内に上下方向に並んで配置された複数個（本実施形態では、５つ）の温度センサによって構成されている。
【００３０】
これにより、制御装置４０では、複数のタンク内温度センサ４１の出力信号によって、貯湯タンク２０内の水位レベルに応じた給湯水の温度、および貯湯タンク２０内の温度分布を検出することができる。
【００３１】
入水温度センサ４２は、水−冷媒熱交換器１２の水通路１２ｂ入口側の給湯水温度である入水温度Ｔｗｉを検出する。沸上温度センサ４３は、水通路１２ｂ出口側の給湯水温度である沸上温度Ｔｗｏを検出する。
【００３２】
蒸発器温度センサ４４は、蒸発器１４における冷媒蒸発温度（蒸発器１４の温度）Ｔｅを検出する。本実施形態の蒸発器温度センサ４４は、蒸発器１４内の冷媒温度を検出している。もちろん、蒸発器温度センサ４４は、蒸発器１４の熱交換フィン温度を検出してもよいし、蒸発器１４のその他の部位の温度を検出してもよい。
【００３３】
外気温センサ４５は、蒸発器１４にて低圧冷媒と熱交換する外気の温度である外気温Ｔａｍを検出する。吐出圧力センサ４６は、圧縮機１１から吐出された吐出冷媒圧力（高圧側冷媒圧力）Ｐｄを検出する。
【００３４】
集音マイク４７は、ヒートポンプユニット１００の周囲の環境音（つまり、暗騒音）を集音し、集音した音に応じた音声信号を制御装置４０へ送出する。集音マイク４７は、環境音を検出する環境音検出部を構成している。
【００３５】
さらに、制御装置４０の入力側には、入力装置５０が接続されている。入力装置５０は、ユーザが入力操作を行うための装置であり、例えば手動入力装置や音声入力装置等を用いることができる。本実施形態では、入力装置５０として操作パネルを用いている。
【００３６】
入力装置５０には、ヒートポンプ式給湯機１の作動開始あるいは作動停止を要求するための作動スイッチ、給湯水の温度（目標出湯温度）を設定する温度設定スイッチ、圧縮機１１およびファンモータ１６の運転モードを設定するための運転モード設定スイッチ等が設けることができる。入力装置５０から各スイッチの操作信号が制御装置４０へ入力される。
【００３７】
本実施形態では、圧縮機１１の回転数およびファンモータ１６の回転数は、それぞれ外気温に基づいて制御装置４０によって制御される。制御装置４０は、圧縮機回転数と外気温が関連付けられた圧縮機制御マップを用いて圧縮機回転数を決定し、圧縮機１１の駆動周波数を決定する。同様に、制御装置４０は、ファンモータ回転数と外気温が関連付けられたファンモータ制御マップを用いてファンモータ回転数を決定し、ファンモータ１６の駆動周波数を決定する。これらの圧縮機制御マップおよびファンモータ制御マップは、例えば制御装置４０のＲＯＭに記憶されている。
【００３８】
本実施形態では、圧縮機１１およびファンモータ１６の運転モードが複数設けられている。複数の運転モードは、圧縮機１１およびファンモータ１６の制御内容が異なっている。複数の運転モードでは、異なる圧縮機制御マップを用いて圧縮機１１の制御が行われ、異なるファンモータ制御マップを用いてファンモータ１６の制御が行われる。
【００３９】
圧縮機１１およびファンモータ１６の運転モードには、少なくとも通常運転モードと低騒音モードが含まれている。通常運転モードは、通常の運転状態で用いられる標準モードである。低騒音モードは、圧縮機１１およびファンモータ１６の運転音に基づく騒音を低減させたい場合に用いられる静音モードであり、夜間等に用いられる。
【００４０】
本実施形態では、複数の低騒音モードが設けられている。複数の低騒音モードは優先する目的あるいは狙い所が異なっており、圧縮機１１およびファンモータ１６の運転音の聞こえ方が異なるように設定されている。
【００４１】
複数の低騒音モードには、少なくとも音圧優先モード、聴感優先モード、環境音優先モードが含まれている。音圧優先モードは、運転音の音圧レベルを低下させることを優先する運転モードである。聴感優先モードは、ユーザが運転音を気にならなくなることを優先する運転モードである。環境音優先モードは、周囲の環境音（つまり、暗騒音）に応じてユーザが運転音を気にならなくなることを優先する運転モードである。
【００４２】
ユーザが運転音を気にならなくなる場合には、運転音を静かに感じる場合、運転音を耳障りに感じにくくなる場合、運転音に基づく不快感が低減する等が含まれている。また、聴感優先モードおよび環境音優先モードでは、通常運転モードに対して音圧レベルを低下させる場合のみならず、音圧レベルを低下させない場合も含んでいる。
【００４３】
図３に示すように、本実施形態では、例えば圧縮機制御マップＡ１〜Ａ３と、ファンモータ制御マップＢ１〜Ｂ３が設けられている。通常運転モードでは、圧縮機制御マップＡ１とファンモータ制御マップＢ１とが組み合わせて用いられる。音圧優先モードでは、圧縮機制御マップＡ２とファンモータ制御マップＢ２とが組み合わせて用いられる。聴感優先モードでは、圧縮機制御マップＡ３とファンモータ制御マップＢ３とが組み合わせて用いられる。さらに図示を省略しているが、環境音優先モードで用いられる圧縮機制御マップとファンモータ制御マップが設けられている。環境音優先モードで用いられる圧縮機制御マップとファンモータ制御マップは、想定される様々な状況の環境音の音圧レベルや音圧波形等に対応して複数の制御マップが設けられている。環境音優先モードで用いられる制御マップは、沸上運転時の環境音との関係で圧縮機１１およびファンモータ１６の運転音が目立ちにくくなる制御内容となっている。
【００４４】
圧縮機制御マップＡ１は、外気温が高くなるにしたがって圧縮機回転数が低くなり、外気温が所定温度を超えると圧縮機回転数が一定になる。圧縮機制御マップＡ２は、破線で示す圧縮機制御マップＡ１に対して、すべての外気温範囲で圧縮機回転数を所定値だけ低く設定している。圧縮機制御マップＡ３は、圧縮機制御マップＡ１と同一の制御マップとしている。つまり、聴感優先モードでは、通常運転モードと同一の圧縮機制御マップが用いられることとなる。
【００４５】
ファンモータ制御マップＢ１は、外気温に応じてファンモータ１６の回転数が２段階に設定されている。具体的には、外気温が所定温度以下では第１回転数に設定され、外気温が所定温度を超えると第１回転数より低い第２回転数に設定されている。ファンモータ制御マップＢ２、Ｂ３は、破線で示すファンモータ制御マップＢ１と異なり、外気温が高くなるにしたがってファンモータ回転数が低くなっている。このため、ファンモータ制御マップＢ２、Ｂ３のファンモータ回転数は、圧縮機制御マップＡ１〜Ａ３における圧縮回転数の変化に追随して変化するようになっている。
【００４６】
ファンモータ制御マップＢ２は、ファンモータ制御マップＢ１に対して、ファンモータ回転数の平均値が低くなっており、ファンモータ回転数が比較的低い回転数となるように設定されている。ファンモータ制御マップＢ２は、ファンモータ制御マップＢ１の第１回転数に対応する低温側でのファンモータ回転数が低くなっている。
【００４７】
ファンモータ制御マップＢ３は、ファンモータ制御マップＢ１に対して、ファンモータ回転数の平均値が必ずしも低くなっておらず、ファンモータ回転数が比較的高い回転数となるように設定されている。ファンモータ制御マップＢ３は、ファンモータ制御マップＢ１の第２回転数に対応する高温側での圧縮機回転数が高くなっている。
【００４８】
ファンモータ制御マップＢ３は、ファンモータ１６の運転音の音圧レベルが圧縮機制御マップＡ３による圧縮機１１の運転音の音圧レベルと近くなるように設定されている。このため、圧縮機制御マップＡ３とファンモータ制御マップＢ３を用いることで、圧縮機１１の運転音の音圧レベルとファンモータ１６の運転音の音圧レベルが重なるようになり、圧縮機１１の運転音がファンモータ１６の運転音でマスキングされる。この結果、圧縮機１１の運転音が目立たなくなり、聞き取りにくくなる。
【００４９】
次に、各運転モードにおける圧縮機１１およびファンモータ１６の運転音について説明する。図４〜図６は、各運転モードでの圧縮機１１およびファンモータ１６の運転音の音圧レベルと周波数の関係を示している。
【００５０】
通常運転モードでは、図４に示す音圧波形となる。通常運転モードの音圧波形では、音圧レベルのピークが多く見られる。この音圧レベルのピークは圧縮機１１の回転に同期した次数成分に基づくものと考えられる。一般的に音圧レベルのピークが多く含まれる音は耳障りな音となりやすい。
【００５１】
音圧優先モードでは、図５に示す音圧波形となる。音圧優先モードでは、一点鎖線で示す通常運転モードと同様の音圧波形であり、全体的に音圧レベルが低下している。このため、音圧優先モードでは、圧縮機１１およびファンモータ１６の運転音が通常運転モードよりも静かに感じやすくなる。
【００５２】
聴感優先モードでは、図６に示す音圧波形となる。聴感優先モードでは、一点鎖線で示す通常運転モードに比べて音圧レベルが必ずしも低下していない。一方、聴感優先モードでは、通常運転モードで見られた音圧レベルのピークが目立たなくなっている。このため、聴感優先モードでは、圧縮機１１およびファンモータ１６の運転音が通常運転モードよりも耳障りな音に感じにくくなる。
【００５３】
次に、本実施形態のヒートポンプ式給湯機１の作動について説明する。ヒートポンプ式給湯機１に外部から電源が供給された状態で、入力装置５０の作動スイッチが投入されると、制御装置４０が予め記憶回路に記憶している制御処理（制御プログラム）を実行する。この制御処理のメインルーチンでは、貯湯タンク２０にヒートポンプサイクル１０の水−冷媒熱交換器１２にて加熱された給湯水を貯湯するための沸上運転の制御処理が図７のフローチャートに基づいて実行される。
【００５４】
まず、Ｓ１０の処理で、外気温センサ４５によって外気温を検出する。次に、Ｓ１１の処理で、入力装置５０の運転モード設定スイッチによって低騒音モードが選択されたか否かを判定する。
【００５５】
Ｓ１１の判定処理の結果、低騒音モードが選択されていないと判定された場合には、通常運転モードが選択されていると判断できる。このため、Ｓ１２の処理で、圧縮機制御マップＡ１を用いて圧縮機１１の回転数を決定し、圧縮機１１の駆動周波数を決定する。また、Ｓ１３の処理で、ファンモータ制御マップＢ１を用いてファンモータ１６の回転数を決定し、ファンモータ１６の駆動周波数を決定する。
【００５６】
Ｓ１１の判定処理の結果、低騒音モードが選択されていると判定された場合には、入力装置５０の運転モード設定スイッチによって、低騒音モードのうち音圧優先モード、聴感優先モードあるいは環境音優先モードのいずれが選択されたかによって異なる処理が行われる。
【００５７】
音圧優先モードが選択された場合には、Ｓ１４の処理で、圧縮機制御マップＡ２を用いて圧縮機１１の回転数を決定し、圧縮機１１の駆動周波数を決定する。また、Ｓ１５の処理で、ファンモータ制御マップＢ２を用いてファンモータ１６の回転数を決定し、ファンモータ１６の駆動周波数を決定する。
【００５８】
聴感優先モードが選択された場合には、Ｓ１６の処理で、圧縮機制御マップＡ３を用いて圧縮機１１の回転数を決定し、圧縮機１１の駆動周波数を決定する。また、Ｓ１７の処理で、ファンモータ制御マップＢ３を用いてファンモータ１６の回転数を決定し、ファンモータ１６の駆動周波数を決定する。
【００５９】
環境音優先モードが選択された場合には、Ｓ１８の処理で、集音マイク４７を用いて環境音を入力する。そして、Ｓ１９の処理で、環境音に対応した圧縮機制御マップを用いて圧縮機１１の回転数を決定し、圧縮機１１の駆動周波数を決定する。また、Ｓ２０の処理で、環境音に対応したファンモータ制御マップを用いてファンモータ１６の回転数を決定し、ファンモータ１６の駆動周波数を決定する。
【００６０】
次に、Ｓ２１の処理で、沸上運転制御を開始する。具体的には、Ｓ１２、Ｓ１４、Ｓ１６、Ｓ１９のいずれかの処理で決定された圧縮機１１の駆動周波数によって圧縮機１１の回転制御を行い、Ｓ１３、Ｓ１５、Ｓ１７、Ｓ２０のいずれかの処理で決定されたファンモータ１６の駆動周波数によってファンモータ１６の回転制御を行う。さらに、沸上運転制御では、圧縮機１１およびファンモータ１６に加えて、電気式膨張弁１３、水循環ポンプ３３等の制御も行われる。
【００６１】
沸上運転制御を開始することで、ヒートポンプサイクル１０の圧縮機１１から吐出された高温高圧冷媒が、水−冷媒熱交換器１２の冷媒通路１２ａへ流入して、水循環ポンプ３３によって水通路１２ｂへ圧送された給湯水と熱交換する。これにより、水通路１２ｂへ流入した給湯水が目標沸上温度Ｔｗとなるように加熱される。
【００６２】
水−冷媒熱交換器１２から流出した高圧冷媒は、電気式膨張弁１３にて減圧される。電気式膨張弁１３にて減圧された冷媒は、蒸発器１４へ流入し、送風ファン１５から送風された外気から吸熱して蒸発する。蒸発器１４から流出した冷媒は、圧縮機１１へ吸入されて再び圧縮される。
【００６３】
水−冷媒熱交換器１２にて加熱された給湯水は、高温側水配管３２を介して、貯湯タンク２０の上方側へ流入して貯湯タンク２０内に貯湯される。
【００６４】
制御装置４０は、沸上運転の終了条件が成立した場合に、沸上運転停止制御を行う。沸上運転停止制御では、圧縮機１１およびファンモータ１６の作動停止等が行われる。
【００６５】
以上説明した本実施形態によれば、低騒音モードとして圧縮機１１およびファンモータ１６の運転音の聞こえ方が異なる複数のモードを設けている。これにより、ユーザは聴感の個人差や好みに応じて、圧縮機１１およびファンモータ１６の運転音が気になりにくくなる低騒音モードを選択することが可能となる。
【００６６】
また、本実施形態では、低騒音モードで用いられるファンモータ制御マップＢ２、Ｂ３では、圧縮機回転数の変化にファンモータ回転数を追従して変化させるようにしている。これにより、圧縮機１１およびファンモータ１６の能力と運転音のバランスを取ったモードとすることができる。
【００６７】
また、本実施形態の聴感優先モードでは、圧縮機１１の回転数に応じてファンモータ１６の回転数を設定している。これにより、圧縮機１１の運転音をファンモータ１６の運転音でマスキングすることができ、圧縮機１１およびファンモータ１６の運転音の音圧レベルを低下させることなく、耳障りに感じにくくすることができる。
【００６８】
（他の実施形態）
本発明は上述の実施形態に限定されることなく、本発明の趣旨を逸脱しない範囲内で、以下のように種々変形可能である。
【００６９】
（１）上記実施形態では、本発明のヒートポンプ装置をヒートポンプ式給湯機１に適用した例について説明したが、これに限らず、本発明のヒートポンプ装置を例えばヒートポンプ式空調装置のような異なる用途に用いてもよい。
【００７０】
（２）上記実施形態では、低騒音モードとして、音圧優先モード、聴感優先モード、環境音優先モードを設けた例について説明したが、これらのモードに加えて、あるいはこれらのモードに変えて異なるモードを設けてもよい。
【００７１】
（３）上記実施形態では、低騒音モードとして、音圧優先モードおよび聴感優先モードのそれぞれにおいて、圧縮機制御マップおよびファンモータ制御マップを１種類ずつ設けた例について説明したが、これに限らず、圧縮機制御マップおよびファンモータ制御マップを複数類設けてもよい。
【００７２】
（４）上記実施形態では、沸上運転開始時に低騒音モードが選択される場合に、ユーザが複数の低騒音モードの中から特定のモード（例えば音圧優先モード、聴感優先モード、環境音優先モード等）を選択するように構成したが、これに限らず、沸上運転開始前に予め複数の低騒音モードの中から特定のモードを選択しておくようにしてもよい。この場合には、沸上運転開始時に低騒音モードが選択される場合に、予め選択しておいた特定のモードで低騒音モードが実行される。
【００７３】
沸上運転開始前に複数の低騒音モードから特定のモードを選択するユーザには、ヒートポンプ式給湯機１の使用者である一般ユーザのみならず、ヒートポンプ式給湯機１のメンテナンスを行うサービスマン等も含まれている。
【符号の説明】
【００７４】
１      ヒートポンプ式給湯機
１０    ヒートポンプサイクル
１１    圧縮機
１４    蒸発器（熱交換器）
１５    送風ファン
１６    ファンモータ
２０    貯湯タンク
４０    制御装置
４７    集音マイク（環境音検出部）
５０    入力装置
【図１】
2018115830.tif 000003
【図２】
2018115830.tif 000004
【図３】
2018115830.tif 000005
【図４】
2018115830.tif 000006
【図５】
2018115830.tif 000007
【図６】
2018115830.tif 000008
【図７】
2018115830.tif 000009